(57)【要約】【課題】特に、タイヤ正常状態では空気のうの径拡張を抑制し、かつタイヤパンク状態では、クラウン補強層のコードが破断する際に生じる被覆ゴムの亀裂が、チューブのゴムに伝播するのを防止した安全タイヤ用空気のう等を提供する。【解決手段】空気のう３は、不織布とゴムの複合材料からなる中空円環状をなすチューブ５と、該チューブ５のクラウン部10の外周側に位置し、コード８がチューブ５の周方向と実質上平行になるように配置されたコードゴム被覆層からなるクラウン補強層６と、チューブ５とクラウン補強層６との間に位置し、タイヤ空洞Ｓ内の圧力低下に伴う前記空洞Ｓ内の圧力ＰＴとチューブ５の内圧ＰＡとの差圧ＰＡ−ＰＴの増加に伴って生じるクラウン補強層６のコード８の破断に起因した被覆ゴム９の亀裂がチューブ５に伝播するのを防止する緩衝層とを具えることを特徴とする。【選択図】図１
2008143410.tif 000002
【特許請求の範囲】
【請求項１】
タイヤ内に、該タイヤの少なくともクラウン部内面との間に所定の空洞が形成されるように、所定内圧を適用した状態で収納され、前記空洞内の圧力が急激に低下したタイヤパンク状態にて、前記空洞内の圧力低下に伴う差圧の増加により拡径変形して、荷重支持をタイヤから肩代わりする安全タイヤ用空気のうにおいて、
該空気のうは、
不織布とゴムの複合材料からなる中空円環状をなすチューブと、
該チューブのクラウン部の外周側に位置し、コードがチューブの周方向と実質上平行になるように配置されたコードゴム被覆層からなるクラウン補強層と、
チューブとクラウン補強層との間に位置し、前記空洞内の圧力低下に伴う前記空洞内圧力とチューブ内圧との差圧の増加に伴って生じるクラウン補強層のコードの破断に起因した被覆ゴムの亀裂がチューブに伝播するのを防止する緩衝層と、
を具えることを特徴とする安全タイヤ用空気のう。
【請求項２】
緩衝層は、チューブとクラウン補強層の双方に対し非接着特性を有する請求項１記載の安全タイヤ用空気のう。
【請求項３】
緩衝層は、ブチルゴムシートからなる請求項１または２記載の安全タイヤ用空気のう。
【請求項４】
緩衝層は、ポリエチレンテレフタレート、セロハン、ポリ塩化ビニルデンまたはポリメチルペンテンのフィルムからなる請求項１または２記載の安全タイヤ用空気のう。
【請求項５】
クラウン補強層のコードは、空洞内圧力が初期設定内圧の５０％以下に低下し、かつ空洞内圧力と空気のう内圧の差圧が、初期設定差圧の１．５倍以上になったときに破断する物性をもつ請求項１〜４のいずれか１項記載の安全タイヤ用空気のう。
【請求項６】
クラウン補強層のコードは有機繊維コードである請求項５記載の安全タイヤ用空気のう。
【請求項７】
クラウン補強層のコードは低破断強力スチールコードである請求項５記載の安全タイヤ用空気のう。
【請求項８】
クラウン補強層の幅は、タイヤ内に収納された状態で初期設定内圧を適用した空気のうの横断面で見て、空気のう最大幅の６０〜９８％の範囲である請求項１〜７のいずれか１項記載の安全タイヤ用空気のう。
【請求項９】
クラウン補強層の外周側に、チューブとともにクラウン補強層を包囲する保護ゴム層を設ける請求項１〜８のいずれか１項記載の安全タイヤ用空気のう。
【請求項１０】
保護ゴム層とクラウン補強層の間にも緩衝層を設ける請求項１〜８のいずれか１項記載の安全タイヤ用空気のう。
【請求項１１】
請求項１〜９のいずれか１項記載の空気のうを用いた安全タイヤ。
【発明の詳細な説明】
【技術分野】
【０００１】
この発明は、安全タイヤ用空気のうに関するものであって、より詳細には、タイヤ正常状態では、タイヤの継続走行に伴って生じる熱や空気のうの内圧に伴って生じる歪によるクラウン補強層のクリープ変形量を少なくして空気のうの径拡張を抑制し、かつ、タイヤパンク状態では、クラウン補強層を破断させて空気のうを速やかに拡径変形させるとともに、クラウン補強層のコードが破断する際に生じる被覆ゴムの亀裂が、チューブのゴムに伝播するのを有効に防止した安全タイヤ用空気のうおよび安全タイヤに関する。
【背景技術】
【０００２】
従来の安全タイヤは、例えば、特許文献１に記載されているように、チューブレス空気入りタイヤ内に、該タイヤの少なくともクラウン部内面との間に所定の空洞が形成されるように、所定内圧を適用した空気のうを収納し、この空気のうが、前記空洞内の圧力が急激に低下したタイヤパンク状態にて、前記空洞内の圧力低下に伴う差圧の増加により拡径変形して荷重支持をタイヤから肩代わりする構造を有している。このような構造をもつ安全タイヤの空気のうは、通常、チューブの外周面にクラウン補強層を加硫接合させて一体化させて構成されている。
【特許文献１】国際公開第９８／２３４５７号公報
【０００３】
しかしながら、チューブとクラウン補強層を一体化させて形成した空気のうだと、タイヤ空洞内の圧力が急激に低下したタイヤパンク状態では、前記空洞内の圧力低下に伴う空洞内圧力と空気のう内圧との差圧の増加により、チューブが拡径変形する際、クラウン補強層が破断する構成の場合には、クラウン補強層のコードの破断に伴う被覆ゴムの亀裂が、クラウン補強層の内面に加硫接合したチューブを構成する外面ゴムに伝播するおそれがあり、クラウン補強層のコード破断とともにチューブにも亀裂等の故障が生じる場合があった。
【０００４】
また、本出願人は、チューブの外面に、クラウン補強層を、非接着または弱い接着強度での接着により配置した安全タイヤ用補強空気のうを特許文献２において提案した。この空気のうを有する安全タイヤは、パンク孔からタイヤ内に入り込んだ異物の刺さり込み等によって補強層に亀裂が生じることがあっても、補強層への亀裂がチューブに伝播することを有効に抑制できる。
【特許文献２】国際公開第０２／０９６６７８号公報
【０００５】
しかしながら、特許文献２に記載された空気のうは、クラウン補強層のコードとして周方向伸長量が１５％以上であるコードを用い、クラウン補強層がパンク時にチューブと共に伸張変形するように構成したものであり、この構成は、クラウン補強層のコードが破断するような構成に比べると、タイヤパンク時における空気のうの拡径変形がクラウン補強層を伸長変形させながら行わなければならない分だけ、拡径速度が遅くなる傾向があり、加えて、クラウン補強層のコード破断に伴う被覆ゴムの亀裂が生じるという課題は特許文献２には存在しない。
【０００６】
また、特許文献２は、チューブとクラウン補強層が直接接触する構成であり、クラウン補強層のゴム亀裂がチューブに伝播しないようにするため、チューブとクラウン補強層の双方を個別に加硫して、チューブとクラウン補強層同士が（加硫）接着しないようにしているものの、クラウン補強層の被覆ゴムとチューブの外面ゴムは、加硫後に積層したとしても、依然としてゴム同士で密着する傾向はあるため、仮に特許文献２記載の空気のうに、パンク時にクラウン補強層のコードが破断するような構成を採用したとしても、ゴム同士間の密着力により亀裂の伝播を十分に防止できない場合があった。
【０００７】
さらに、特許文献２には、クラウン補強層として、不織布を用いる場合も示されているが、この場合は、不織布の繊維が、継続走行によりタイヤに生じる熱や歪によるクリープ変形量が大きくなり、これに伴って、空気のうが拡径変形するとともに、空気のうの容積が増大して、タイヤ空洞内の圧力と空気のう内の圧力の差圧が小さくなり、差圧を適正に設定するための調圧の頻度が多くなり、最悪の場合には、空気のうをタイヤ内に適正形状で固定することができなくなる。
【発明の開示】
【発明が解決しようとする課題】
【０００８】
この発明の目的は、特に、タイヤ正常状態では、タイヤの継続走行に伴って生じる熱や空気のうの内圧に伴って生じる歪によるクラウン補強層のクリープ変形量を少なくして空気のうの径拡張を抑制し、かつ、タイヤパンク状態では、クラウン補強層を破断させて空気のうを速やかに拡径変形させるとともに、クラウン補強層のコードが破断する際に生じる被覆ゴムの亀裂が、チューブのゴムに伝播するのを有効に防止した安全タイヤ用空気のうおよび安全タイヤを提供することにある。
【課題を解決するための手段】
【０００９】
上記目的を達成するため、この発明に従う安全タイヤ用空気のうは、タイヤ内に、該タイヤの少なくともクラウン部内面との間に所定の空洞が形成されるように、所定内圧を適用した状態で収納され、前記空洞内の圧力が急激に低下したタイヤパンク状態にて、前記空洞内の圧力低下に伴う差圧の増加により拡径変形して、荷重支持をタイヤから肩代わりする安全タイヤ用空気のうであって、該空気のうは、不織布とゴムの複合材料からなる中空円環状をなすチューブと、該チューブのクラウン部の外周側に位置し、コードがチューブの周方向と実質上平行になるように配置されたコードゴム被覆層からなるクラウン補強層と、チューブとクラウン補強層との間に位置し、前記空洞内の圧力低下に伴う前記空洞内圧力とチューブ内圧との差圧の増加に伴って生じるクラウン補強層のコードの破断に起因した被覆ゴムの亀裂がチューブに伝播するのを防止する緩衝層とを具えることにある。
【００１０】
緩衝層は、チューブとクラウン補強層の双方に対し非接着特性を有することが好ましく、具体的には、ブチルゴムシートや、ポリエチレンテレフタレート（ＰＥＴ）、セロハン、ポリ塩化ビニルデンまたはポリメチルペンテンのフィルムからなることがより好適である。
【００１１】
クラウン補強層のコードは、空洞内圧力が初期設定内圧の５０％以下に低下し、かつ空洞内圧力と空気のう内圧の差圧が、初期設定差圧の１．５倍以上になったときに破断する物性をもつことが好ましく、例えば、有機繊維コードや低破断強力スチールコードであることがより好適である。
【００１２】
クラウン補強層の幅は、タイヤ内に収納された状態で初期設定内圧を適用した空気のうの横断面で見て、空気のう最大幅の６０〜９８％の範囲であることが好ましい。
【００１３】
クラウン補強層の外周側に、チューブとともにクラウン補強層を包囲する保護ゴム層を設けることが好ましく、この場合、保護ゴム層とクラウン補強層の間にも緩衝層を設けることがより好適である。
【発明の効果】
【００１４】
この発明によれば、タイヤ正常状態では、タイヤの継続走行に伴って生じる熱や空気のうの内圧に伴って生じる歪によるクラウン補強層のクリープ変形量を少なくして空気のうの径拡張を抑制し、かつ、タイヤパンク状態では、クラウン補強層を破断させて空気のうを速やかに拡径変形させるとともに、クラウン補強層のコードが破断する際に生じる被覆ゴムの亀裂が、チューブのゴムに伝播するのを有効に防止した安全タイヤ用空気のうおよび安全タイヤを提供することを可能にする。
【発明を実施するための最良の形態】
【００１５】
図１は、この発明に従う安全タイヤの一例を示したものであり、図２は、図１に示す安全タイヤから空気のうだけを抜き出して示したものである。
【００１６】
図１に示す安全タイヤ１は、チューブレスタイヤ２と、このチューブレスタイヤ２内に収納された空気のう３とで主として構成され、ホイールリム４に装着したものである。
【００１７】
チューブレスタイヤ２は、図１では、その構成の詳細については省略しているが、一般的なチューブレス空気入りタイヤと同様、ビードコア、カーカス、ベルト、トレッドを少なくとも有するように構成したものを用いればよく、本発明では、その構成については特に限定はしない。
【００１８】
この安全タイヤ１は、チューブレスタイヤ２内に、該タイヤ２の少なくともクラウン部の内面２ａとの間に所定の空洞Ｓが形成されるように、所定内圧ＰＡを適用した状態で空気のう３が収納され、前記空洞Ｓ内の圧力ＰＴが急激に低下した、いわゆるタイヤパンク状態にて、前記空洞Ｓ内の圧力低下に伴う差圧ＰＡ−ＰＴの増加により、空気のう３が拡径変形して、荷重支持をタイヤ２から肩代わりする構成を有する。
【００１９】
本発明の構成上の主な特徴は、空気のう３を、チューブ５とクラウン補強層６のほか、これらチューブ５とクラウン補強層６の間に、緩衝層７を配設することにある。
【００２０】
本発明は、特に、タイヤ正常状態では、安全タイヤ１の継続走行に伴って生じる熱や空気のう３の内圧に伴って生じる歪によるクラウン補強層６のクリープ変形量を少なくして空気のう３の径拡張を抑制し、かつ、タイヤパンク状態では、空気のう３の拡径変形を、クラウン補強層６のコード８を破断させることにより速やかに実現させるとともに、クラウン補強層６のコード８が破断する際に生じる被覆ゴム９の亀裂が、チューブ５のゴムに伝播するのを有効に防止することにある。
【００２１】
チューブ５は、不織布とゴムの複合材料からなる中空円環状をなす部材である。
【００２２】
クラウン補強層６は、チューブ５のクラウン部10の外周側に位置し、コード８がチューブ５の周方向と実質上平行になるように配置されたコードゴム被覆層からなる。なお、ここでいう「実質上平行」とは、クラウン補強層６の幅と同幅の広幅コードゴム被覆シートを、コードがチューブ５の周方向と平行になるように巻回して形成する場合のほか、後述するように、狭幅のコードゴム被覆シートをチューブの幅方向にずらしながららせん巻回して形成する場合も含めるためである。
【００２３】
緩衝層７は、チューブ５とクラウン補強層６との間に配置する。
本発明は、緩衝層７の配設により、チューブ５とクラウン補強層６とが緩衝層７を介して分離させることができ、これにより、タイヤパンク時に、タイヤ空洞Ｓ内の圧力低下に伴う前記空洞Ｓ内の圧力ＰＴとチューブ５の内圧ＰＡとの差圧ＰＡ−ＰＴの増加に伴って生じるクラウン補強層６のコード８の破断に起因した被覆ゴム９の亀裂Ｃが、図３(a)、(b)に示すように、緩衝層７で遮断されてチューブ５に伝播するのを有効に防止することができる。
【００２４】
ところで、正常状態の安全タイヤを継続走行すると熱が発生して空気のうを含めて安全タイヤ全体が高温になる。また、タイヤ内の空気のうには、タイヤ内で所定形状を保持するため、所定内圧が適用されており、これに伴って、空気のうには一定の歪が継続的に作用している。
【００２５】
このように熱と歪の継続作用下では、空気のうは、タイヤ正常状態であっても、クリープ変形によって空気のうが拡径変形しやすくなり、これに伴って、空気のうの容積が膨張して、タイヤ空洞Ｓ内の圧力ＰＴと空気のう３内の圧力ＰＡの差圧Ａ−ＰＴが小さくなる傾向があり、この差圧が小さくなりすぎると、調圧を行わなければならない。
【００２６】
このため、空気のう３、特に空気のう３の拡径変形を抑制する部材であるクラウン補強層６は、これらの熱と歪の作用下で優れたクリープ特性を有することが必要である。
【００２７】
空気のう３のクラウン補強層101は、例えば図10で示すような不織布で構成すると、不織布を構成する繊維102がクラウン補強層101の伸長方向Ｔへの配向性を発現するまでは十分なクリープ特性を発現することはできない。
【００２８】
これに対し、本発明では、クラウン補強層６として、タイヤ正常状態では、空気のう３の内圧ＰＡに対抗でき、かつ、タイヤパンク状態では、破断するような強力をもつコード８を、チューブ５の周方向と実質上平行になるように配置されたコードゴム被覆層とすることにより、タイヤ正常状態では、空気のうの拡径変形に対抗してクラウン補強層６が伸長する方向Ｔが、図９にクラウン補強層６の一部を切り出して示すように、コード８の延在方向と一致するため、安全タイヤ１の継続走行に伴って生じる熱や空気のう３の内圧に伴って生じる歪によるクラウン補強層６のクリープ変形量を少なくして空気のう３の径拡張を抑制しすることができ、かつ、タイヤパンク状態では、空気のう３の拡径変形を、クラウン補強層６のコード８を破断させることにより速やかに実現させるとともに、クラウン補強層６のコード８が破断する際に生じる被覆ゴム９の亀裂が、チューブ５のゴムに伝播するのを有効に防止することができるのである。
【００２９】
図８は、タイヤ正常状態で長距離継続走行したときの空気のうの外径増加（成長）量の変化について示したものであり、図８中において、発明例はクラウン補強層が低破断強力のＰＥＴコードとゴムの複合材料からなる場合、比較例はクラウン補強層がアラミド繊維の不織布とゴムの複合材料からなる場合である。図８に示すように、発明例は、比較例に比べて、タイヤ正常時における空気のうの外径成長量が小さいことがわかる。
【００３０】
緩衝層７は、チューブ５とクラウン補強層６の双方に対し、非接着特性を有することが、クラウン補強層６のコード８が破断する際に生じる被覆ゴム９の亀裂が、チューブ５のゴムに伝播するのを防止する点で好ましい。
【００３１】
非接着特性を有する緩衝層７としては、例えば、融点が１１０℃以上の材料であることが好ましい。融点が１１０℃未満だと、空気のうを加硫成形する際に緩衝層が溶融するおそれがあるため好ましくない。このような緩衝層７の好適例としては、例えば、厚さ0.5〜2.0ｍｍのブチルゴムシートか、あるいは、厚さ0.02〜0.5ｍｍのポリエチレンテレフタレート、セロハン、ポリ塩化ビニルデンまたはポリメチルペンテンのフィルムが挙げられる。
【００３２】
クラウン補強層６のコード８は、タイヤ空洞Ｓ内の圧力ＰＴが初期設定内圧の５０％以下に低下し、かつタイヤ空洞Ｓ内の圧力ＰＴと空気のう３の内圧ＰＡの差圧ＰＡ−ＰＴが、初期設定差圧の１．５倍以上になったときに破断する物性をもつことが、正常状態のタイヤにおいて自然に空気が抜ける場合に、空気のうが誤作動して拡径変形するのを防止する点で好ましい。タイヤがパンクしていない正常状態であっても、タイヤ空洞Ｓ内の圧力ＰＴが、初期設定内圧の５０％超えの範囲に低下する場合や、タイヤ空洞Ｓ内の圧力ＰＴと空気のう３の内圧ＰＡの差圧ＰＡ−ＰＴが、初期設定差圧の１．５倍以上になる場合は想定されるからである。
【００３３】
クラウン補強層６のコード８としては、タイヤパンク時に破断するような低破断強力ｆ、好適には６００〜１８００Ｎの低破断強力ｆをもつＰＥＴ、ナイロン等の有機繊維コードや、単繊維の構造をもつスチールコードを用いることが好ましい。
【００３４】
なお、ここでいう「破断強力ｆ」は、クラウン補強層６の単位幅当り（１ｃｍ当り）の破断強力を意味する。例えば、２つの曲率（周方向の曲率半径ＲＳおよび幅方向の局率半径Ｒｔ）を有する厚さｔのシェル（チューブ５）に内圧Ｐ（Ｐ＝ＰＡ−ＰＴ）が充填されている場合の周方向応力σＳおよび幅方向応力σｔは、
Ｐ／ｔ＝σＳ／ＲＳ＋σｔ／Ｒｔ
で表わされ、Ｒｔを無限大（偏平形状でほぼフラット）と仮定し、σＳとｔの積を破断強力ｆであると考えると、
破断強力ｆ＝ＲＳ×Ｐで表わされる。
従って、破断強力ｆは内圧上記式によって算出される。
【００３５】
クラウン補強層６の幅ＷＲは、タイヤ２内に収納された状態で初期設定内圧を適用した空気のう３の横断面で見て、空気のう３の最大幅Ｗmaxの60〜98％の範囲であることが好ましい。クラウン補強層６の幅ＷＲが空気のう３の最大幅Ｗmaxの60％未満だと、空気のうのクラウン部の径拡張抑制効果を十分に発揮できなくなるおそれがあるからであり、また、98％を超えると、チューブ５の外周にクラウン補強層６を配設することが現実的に難しくなるからである。
【００３６】
また、他の実施形態としては、図４に示すように、クラウン補強層６の外周側に、チューブ５とともにクラウン補強層６を包囲する保護ゴム層11を設けることが、対外傷性向上や外観向上の点で好ましい。この場合、保護ゴム層11とクラウン補強層６の間にも緩衝層12を設けることが、破断部が外面に表れなくなる点で好ましい。
【００３７】
さらに、図６は、狭幅コードゴム被覆シート13をチューブ外周面側にチューブの幅方向にずらしながららせん巻回することにより、クラウン補強層６を形成したときの例を示したものであり、また、図７は、緩衝層７を内面側に一体化した狭幅コードゴム被覆シート14をチューブ外周面側にチューブの幅方向にずらしながららせん巻回することにより、クラウン補強層を形成したときの例を示したものである。
【００３８】
上述したところは、この発明の実施形態の一例を示したにすぎず、請求の範囲において種々の変更を加えることができる。
【実施例】
【００３９】
次に、この発明に従う安全タイヤを試作し、性能評価を行ったので、以下で説明する。
実施例１
実施例１の安全タイヤは、図１に示すタイヤ構造を有し、タイヤサイズが495／45Ｒ22.5であり、空気のうを構成する緩衝層を、厚さ30μｍのポリメチルペンテンフィルムとし、クラウン補強層のコードをＰＥＴコードとし、クラウン補強層の幅ＷＲ（３６０ｍｍ）を空気のうの最大幅Ｗmax（４００ｍｍ）の９０％とした。クラウン補強層の破断強力ｆは１０００Ｎ／ｃｍであった。その他のタイヤ構造については、一般の空気入りタイヤと同様に構成した。
【００４０】
実施例２
実施例２の安全タイヤは、緩衝層を、厚さ1.0ｍｍのブチルゴムシートとしたことを除いては実施例１の安全タイヤと同様の構成とした。
【００４１】
実施例３
実施例３の安全タイヤは、クラウン補強層のコードを単繊維の低破断強力スチールコードと、クラウン補強層の破断強力ｆが１５００Ｎ／ｃｍであることを除いては実施例１の安全タイヤと同様の構成とした。
【００４２】
実施例４
実施例４の安全タイヤは、図４に示すように保護ゴムシートを設けたことを除いては実施例１の安全タイヤと同様の構成とした。
【００４３】
実施例５
実施例５の安全タイヤは、図５に示すように保護ゴムシートとクラウン補強層の間に、緩衝層７と同様の緩衝層を設けたことを除いては実施例４の安全タイヤと同様の構成とした。
【００４４】
比較例１
比較例１の安全タイヤは、タイヤサイズが495／45Ｒ22.5であり、緩衝層を配設せず、クラウン補強層を、アラミド繊維の不織布とゴムとの複合材料からなり、クラウンが破断せず伸張変形することを除いては実施例１の安全タイヤと同様の構成とした。
【００４５】
比較例２
比較例２の安全タイヤは、タイヤサイズが495／45Ｒ22.5であり、緩衝層を配設しないことを除いては実施例１の安全タイヤと同様の構成とした。
【００４６】
（性能評価）
上記各供試安全タイヤを標準リムに装着し、タイヤ空洞内の圧力ＰＴを900ｋＰａとし、空気のうの内圧ＰＡを970ｋＰａと初期設定値に調圧した後、タイヤパンク状態を想定して、タイヤ空洞内の空気を短時間（０．５秒と２．０秒の２種類）で０ｋＰａになるまで外部に排出させて空気のうを拡径変形させた後、空気のうを取り出してチューブの亀裂等の故障の有無を調査した。また、正常状態の安全タイヤにおいて、１０万ｋｍ継続走行した後の、空気のうの外径寸法を測定し、初期設定時の外径寸法に対する増加率（％）（図８の空気のうの外径増加量と同義）を算出した。表１にそれらの評価結果を示す。
【００４７】
【表１】
2008143410.tif 000003
【００４８】
表１に示す評価結果から、実施例はいずれも、タイヤ正常状態での空気のうの外径増加率が小さく、タイヤパンク後のチューブのゴム亀裂も認められなかった。
一方、比較例１は、タイヤパンク後のチューブのゴム亀裂は認められなかったものの、タイヤ正常状態での空気のうの外径増加率が大きかった。また、比較例２は、タイヤ正常状態での空気のうの外径増加率は小さいものの、タイヤパンク後のチューブにクラウン補強層のゴム亀裂が伝播してチューブが破断した。
【産業上の利用可能性】
【００４９】
この発明によれば、タイヤ正常状態では、タイヤの継続走行に伴って生じる熱や空気のうの内圧に伴って生じる歪によるクラウン補強層のクリープ変形量を少なくして空気のうの径拡張を抑制し、かつ、タイヤパンク状態では、クラウン補強層を破断させて空気のうを速やかに拡径変形させるとともに、クラウン補強層のコードが破断する際に生じる被覆ゴムの亀裂が、チューブのゴムに伝播するのを有効に防止した安全タイヤ用空気のうおよび安全タイヤを提供することを可能にする。
【図面の簡単な説明】
【００５０】
【図１】この発明に従う安全タイヤの幅方向断面図である。
【図２】図１の安全タイヤから抜き出した空気のうの幅方向断面図である。
【図３】タイヤパンク時にクラウン補強層が破断する状態を説明する図である。
【図４】空気のうの他の実施形態を示す幅方向断面図である。
【図５】空気のうの他の実施形態を示す幅方向断面図である。
【図６】空気のうの他の形成態様を説明するための図である。
【図７】空気のうの他の形成態様を説明するための図である。
【図８】クラウン補強層の耐クリープ特性を示すための図である。
【図９】本発明に用いるクラウン補強層に作用する方向をクリープ特性との関係で説明するための図である。
【図１０】不織布とゴムの複合材料で形成した従来のクラウン補強層に作用する方向をクリープ特性との関係で説明するための図である。
【符号の説明】
【００５１】
１  安全タイヤ
２  チューブレスタイヤ
３  空気のう
４  ホイールリム
５  チューブ
６  クラウン補強層
７  緩衝層
８  コード
９  被覆ゴム
10  チューブのクラウン部
11  保護ゴム層
12  緩衝層
13  狭幅コードゴム被覆シート
14  狭幅コードゴム被覆シート
【図１】
2008143410.tif 000004
【図２】
2008143410.tif 000005
【図３】
2008143410.tif 000006
【図４】
2008143410.tif 000007
【図５】
2008143410.tif 000008
【図６】
2008143410.tif 000009
【図７】
2008143410.tif 000010
【図８】
2008143410.tif 000011
【図９】
2008143410.tif 000012
【図１０】
2008143410.tif 000013